(57)【要約】【課題】  凍結防止剤が収納保管出来、注意喚起用反射標識付保護カバーを定期的に新品と交換する事で新鮮味を持たせて注意を喚起し、環境汚染度等の調査資料に使用する凍結防止剤収納箱兼注意喚起用標識を開発・提供する事にある。【解決手段】  収納箱本体と箱状の骨組本体部に包囲設置し定期的に新品と交換可能な注意喚起用反射標識付保護カバーから成り、該収納箱本体は底板と骨部材を組み合わせ、正面部に取り出し口を設けた所定寸法を有する箱状の骨組本体と、底板下部に取付板を有する支柱を設け、該保護カバーは骨組本体の外形寸法に適合した防水・防湿製保護部材から成り、正面左右両端部に係止部材を縫着して蓋部を開閉可能にし、左右両側面部及び正面部に覗き窓を設け、左右両側面部に注意喚起用反射標識を貼着して設け、設置時は収納箱本体下部に設けた取付板部をコンクリート基礎部に埋設した係止部材で係止したもの。【選択図】  図４
0003122156.tif 000002
【実用新案登録請求の範囲】
【請求項１】
陽の当らない凍結し易い道路の手前に設置してスリップ事故を未然に防止する為の標識であって、該標識は収納箱本体（１）と、収納箱本体（１）の箱状の骨組本体（１ａ）部に包囲設置し定期的に新品と交換可能な注意喚起用反射標識付保護カバー（２）から成り、且つ、該収納箱本体（１）は底板（１ｂ）と骨部材（１ａ’）を組み合わせ、正面部に取り出し口（１ｃ）を設けた縦（Ｙ）・横（Ｘ）・高さ（Ｈ）が所定寸法を有する箱状の骨組本体（１ａ）と、底板（１ｂ）下部に取付板（１ｅ）を有する支柱（１ｄ）を設け、且つ、該保護カバー（２）は縦（Ｙ’）・横（Ｘ’）・高さ（Ｈ’）が骨組本体（１ａ）の外形寸法に適合したターポリン等の防水・防湿製保護部材（２ａ）から成り、且つ、正面左右両端部にファスナー等の係止部材（Ｆ）を縫着して蓋部（２ａ’）を開閉可能にし、且つ、左右両側面部及び正面部に覗き窓（ＬＷ）を設け、且つ、左右両側面部に注意喚起用反射標識（Ｇ）を貼着して設け、且つ、設置時は収納箱本体（１）下部に設けた取付板（１ｅ）部をコンクリート基礎部（３）に埋設したアンカーボルト（ＡＢ）・ナット（Ｎ）・ワッシャー（Ｗ）等の係止部材で係止し、且つ、骨組本体（１ａ）内部に凍結防止剤（ＦＰＰ）を設置し、必要に応じて誰もが取り出して使用し、又、使用後は収納可能にした事を特徴とする凍結防止剤収納箱兼注意喚起用標識。
【考案の詳細な説明】
【技術分野】
【０００１】
この考案は、凍結防止剤収納箱兼注意喚起用標識に関するものである。
【背景技術】
【０００２】
従来、道路には様々な標識が状況に応じて設置されていて、ドライバーに安全運転や注意喚起を呼び掛けている。しかし、標識もまだまだ不足しているというのが現状である。又、道路には陽が当る場所と当らない場所があり、特に冬時期になるとスリップ事故が多発し易いが、スリップ事故が発生する場所は大半が陽の当らない場所である。
【０００３】
又、標識の本来の目的はドライバーや歩行者に注意を喚起する事であるが、毎日見慣れている既存の標識は耐候性に優れているが、余りにも長持ちする為、新鮮さが失われ意識が軽薄し、ついつい見逃したり、ある事すら気が付かない場合がある。
【０００４】
又、陽の当らない凍結し易い道路の片隅には、凍結防止剤が設置されているのを良く見掛けるが、管理者及び使用者が不明確で取り扱いが杜撰な為、不要に成った袋がゴミに成り、片付ける人も居ないというのが現状で、環境衛生上の問題があった。
【０００５】
又、凍結防止剤は冬時期以外には使用しない為、冬季が過ぎるとその都度回収して回る必要が有り、経済的にも負担が多かった。
【０００６】
そこで、これまでに出願されている道路標識に関する特許文献を参考の為、紹介する。（特許文献１〜３参照。）
【特許文献１】特開２００１−１６４５２３
【特許文献２】特開２００３−２６１９１３
【特許文献３】特開２００３−３３６２２７
【考案の開示】
【考案が解決しようとする課題】
【０００７】
そこで、上記課題を解決する為に、この考案は凍結防止剤が収納保管出来、且つ、注意喚起用反射標識付保護カバーを定期的に新品と交換する事で新鮮味を持たせて注意を喚起し、且つ、環境汚染度等の調査資料に使用する凍結防止剤収納箱兼注意喚起用標識を開発・提供する事にある。
【課題を解決するための手段】
【０００８】
この課題を解決する為の手段として、収納箱本体と、収納箱本体の箱状の骨組本体部に包囲設置し定期的に新品と交換可能な注意喚起用反射標識付保護カバーから成り、且つ、該収納箱本体は底板と骨部材を組み合わせ、正面部に取り出し口を設けた縦・横・高さが所定寸法を有する箱状の骨組本体と、底板下部に取付板を有する支柱を設け、且つ、該保護カバーは縦・横・高さが骨組本体の外形寸法に適合したターポリン等の防水・防湿製保護部材から成り、且つ、正面左右両端部にファスナー等の係止部材を縫着して蓋部を開閉可能にし、且つ、左右両側面部及び正面部に覗き窓を設け、且つ、左右両側面部に注意喚起用反射標識を貼着して設け、且つ、設置時は収納箱本体下部に設けた取付板部をコンクリート基礎部に埋設したアンカーボルト・ナット・ワッシャー等の係止部材で係止し、且つ、骨組本体内部に凍結防止剤を設置し、必要に応じて誰もが取り出して使用し、又、使用後は収納可能にしたものである。
【考案の効果】
【０００９】
この考案の効果として、収納箱本体と、収納箱本体と、収納箱本体の箱状の骨組本体部に包囲設置し定期的に新品と交換可能な注意喚起用反射標識付保護カバーから成り、且つ、該収納箱本体は底板と骨部材を組み合わせ、正面部に取り出し口を設けた縦・横・高さが所定寸法を有する箱状の骨組本体と、底板下部に取付板を有する支柱を設け、且つ、該保護カバーは縦・横・高さが骨組本体の外形寸法に適合したターポリン等の防水・防湿製保護部材から成り、且つ、正面左右両端部にファスナー等の係止部材を縫着して蓋部を開閉可能にし、且つ、左右両側面部及び正面部に覗き窓を設け、且つ、左右両側面部に注意喚起用反射標識を貼着して設け、且つ、設置時は収納箱本体下部に設けた取付板部をコンクリート基礎部に埋設したアンカーボルト・ナット・ワッシャー等の係止部材で係止し、且つ、骨組本体内部に凍結防止剤を設置し、必要に応じて誰もが取り出して使用し、又、使用後は収納可能にした事で、凍結防止剤が収納保管出来、必要に応じて何時でも使用出来、且つ、保護カバーを定期的に交換する事で新鮮味を持たせて注意を喚起し、且つ、保護カバーを回収し環境汚染度等の調査資料に使用する事で、環境汚染対策に役立てる事が出来る。
【００１０】
又、注意喚起用反射標識付保護カバーは交換可能な為、季節や道路事情に合わせて適宜内容を変更出来、又、凍結防止剤の収納箱を設置する事でシーズンオフ時の回収作業の手間が省ける為、更に効果的であり、経費も節減出来る等、極めて有益なる効果を奏するものである。
【考案を実施するための最良の形態】
【００１１】
この考案の最良の形態として、収納箱及び保護カバーの大きさは凍結防止剤が容易に収納可能な寸法に設定し、設置する場所や環境に応じた見え易い最適高さと取り付け方向を設定する事が重要である。
【実施例１】
【００１２】
そこで、この考案の一実施例を図１〜図３に基づいて詳述すると、陽の当らない凍結し易い道路の手前に設置してスリップ事故を未然に防止する為の標識であって、該標識は収納箱本体（１）と、収納箱本体（１）の箱状の骨組本体（１ａ）部に包囲設置し定期的に新品と交換可能な注意喚起用反射標識付保護カバー（２）から成り、且つ、該収納箱本体（１）は底板（１ｂ）と骨部材（１ａ’）を組み合わせ、正面部に取り出し口（１ｃ）を設けた縦（Ｙ）・横（Ｘ）・高さ（Ｈ）が所定寸法を有する箱状の骨組本体（１ａ）と、底板（１ｂ）下部に取付板（１ｅ）を有する支柱（１ｄ）を設け、且つ、該保護カバー（２）は縦（Ｙ’）・横（Ｘ’）・高さ（Ｈ’）が骨組本体（１ａ）の外形寸法に適合したターポリン等の防水・防湿製保護部材（２ａ）から成り、且つ、正面左右両端部にファスナー等の係止部材（Ｆ）を縫着して蓋部（２ａ’）を開閉可能にし、且つ、左右両側面部及び正面部に覗き窓（ＬＷ）を設け、且つ、左右両側面部に注意喚起用反射標識（Ｇ）を貼着して設け、且つ、設置時は収納箱本体（１）下部に設けた取付板（１ｅ）部をコンクリート基礎（３）部に埋設したアンカーボルト（ＡＢ）・ナット（Ｎ）・ワッシャー（Ｗ）等の係止部材で係止し、且つ、骨組本体（１ａ）内部に凍結防止剤（ＦＰＰ）を設置し、必要に応じて誰もが取り出して使用し、又、使用後は収納可能にした事を特徴とする凍結防止剤収納箱兼注意喚起用標識から構成される。
【００１３】
次に、この考案の材質・寸法形状等について説明すると、まず、収納箱本体（１）の骨組本体（１ａ）は、図１に示す様に、縦寸法が７００ｍｍで、横寸法が６５０ｍｍで、高さ寸法が６００ｍｍの箱形状に形成され、且つ、該骨組本体（１ａ）は、上部３０ｍｍ×３０ｍｍ×ｔ３ｍｍのＬ型鋼を組み合わせて形成した骨部材（１ａ’）と、ｔ３．２ｍｍの底板（１ｂ）を一体形成したものである。そして、骨組本体（１ａ）の下部には、φ８９．１ｍｍ×ｔ３．２ｍｍの円筒型支柱（１ｄ）と、取付板（１ｅ）が設けられ、接合部の角部四方には補強板（１ｆ）が溶着されている。
【００１４】
そして、収納箱本体（１）の箱状の骨組本体（１ａ）部に包囲設置する注意喚起用反射標識付保護カバー（２）は、材質が反射式ターポリン製（耐用年数４〜５年）で、図２（Ａ）に示す様に、縦（Ｙ’）・横（Ｘ’）・高さ（Ｈ’）寸法が、骨組本体（１ａ）部に適合した所定寸法の箱形状に形成され、且つ、正面左右両端部にファスナー等の係止部材（Ｆ）を縫着して蓋部（２ａ’）を開閉可能にし、且つ、左右両側面部及び正面部に覗き窓（ＬＷ）を設け、且つ、左右両側面部に注意喚起用反射標識（Ｇ）を貼着して設けたものである。
【００１５】
次に、この考案の組立要領について説明すると、図３に示す様に収納箱本体（１）は、取付板（１ｅ）部に設けた取付穴（１ｅ’）部を、地中のコンクリート基礎（３）部に埋設された複数のアンカーボルト（ＡＢ）・ナット（Ｎ）・ワッシャー（Ｗ）で螺着し、注意喚起用反射標識付保護カバー（２）を収納箱本体（１）の骨組本体（１ａ）部に上部から被せて装着し骨組本体（１ａ）全体を包囲する。
【００１６】
又、この考案の設置要領及び取り扱い要領としては、まず、保護カバー（２）の左右両側面部に貼着した注意喚起用反射標識（Ｇ）が車両等を運転するドライバーに良く見える方向に設置し、収納箱に収めた凍結防止剤を取り出す際は、保護カバー左右のファスナー（Ｆ）を開けて取り出し、使用後は再度元の位置に収納する。尚、凍結防止剤（ＦＰＰ）を使い切り、袋のみに成った場合も、環境美化の為、廃却せずに折り畳んで収納箱（１）に収納し、管理者（会社）が定期的に回収する。又、収納箱の中には凍結防止剤（ＦＰＰ）が３〜４袋収納出来るが、収納する数はその都度必要に応じて変更出来る。
【産業上の利用可能性】
【００１７】
この考案の凍結防止剤収納箱兼注意喚起用標識は、凍結防止剤が収納保管出来、且つ、保護カバーを定期的に新品と交換する事で新鮮味を持たせて注意を喚起し、且つ、環境汚染度等の調査資料に使用出来る為、多くの安全施設・環境施設等の道路関係市場に寄与する点で産業上の利用可能性を有する。
【図面の簡単な説明】
【００１８】
【図１】この考案の一実施例を示し、収納箱本体の斜視図である。
【図２】この考案の一実施例を示し、（Ａ）は保護カバーの蓋閉時の斜視図で、（Ｂ）は保護カバーの蓋開時の斜視図で、（Ｃ）は図２（Ａ）のａ部拡大詳細図である。
【図３】この考案の一実施例を示し、組立要領を示す斜視図である。
【図４】この考案の使用例を示し、一部欠截斜視図である。
【符号の説明】
【００１９】
１  収納箱本体
１ａ  骨組本体
１ａ’  骨部材
１ｂ  底板
１ｃ  取り出し口
１ｄ  支柱
１ｅ  取付板
１ｅ’  取付穴
１ｆ  補強板
２  保護カバー
２ａ  保護部材
２ａ’  蓋部
３  コンクリート基礎部
ＡＢ  アンカーボルト
Ｆ  ファスナー等の係止部材
ＦＰＰ  凍結防止剤
Ｇ  注意喚起用反射標識
Ｎ  ナット
Ｗ  ワッシャー
ＬＷ  覗き窓
Ｈ  骨組本体の高さ寸法
Ｘ  骨組本体の横寸法
Ｙ  骨組本体の縦寸法
Ｈ’  保護カバーの高さ寸法
Ｘ’  保護カバーの横寸法
Ｙ’  保護カバーの縦寸法
【図１】
0003122156.tif 000003
【図２】
0003122156.tif 000004
【図３】
0003122156.tif 000005
【図４】
0003122156.tif 000006